(57)【要約】      （修正有）【課題】カバーを反射対物レンズに接続して、連接棒と複数のスクリューによって、カバーを本体上に接続するのを代替することにより、構造と素子を簡潔にした光学装置を提供する。【解決手段】光学装置２０は、本体２００、カバー２０１、および、反射対物レンズ２０２を有する。反射対物レンズ２０２は、本体２００に枢支連結されるとともに、本体２００に対して、第一角度で回転する。カバー２０１は、反射対物レンズ２０２に枢支連結されるともに、反射対物レンズ２０２に対して、第二角度で回転する。【選択図】図２
2018060171.tif 000002
【特許請求の範囲】
【請求項１】
光学装置であって、
本体と、
前記本体に枢支連結され、前記本体に対して、第一角度で回転する反射対物レンズと、
前記反射対物レンズに枢支連結され、前記反射対物レンズに対して、第二角度で回転するカバーと、
を有することを特徴とする光学装置。
【請求項２】
さらに、第一ピボットを有し、前記反射対物レンズが、前記第一ピボットにより、前記本体に接続されることを特徴とする請求項１に記載の光学装置。
【請求項３】
さらに、第二ピボットを有し、前記カバーが、前記第二ピボットにより、前記反射対物レンズに接続されることを特徴とする請求項２に記載の光学装置。
【請求項４】
さらに、前記第一ピボット、あるいは、前記第二ピボットに設置される弾性素子を有し、前記光学装置が閉じるとき、前記弾性素子は、圧縮されるとともに、弾力を保存し、前記光学装置が開くとき、前記弾力が解放され、前記弾性素子は、ねじりばね、あるいは、板ばねであることを特徴とする請求項２、あるいは、３に記載の光学装置。
【請求項５】
前記本体は、さらに、スイッチ、および、リンケージ構造を有し、前記スイッチは第一斜面を有し、前記リンケージ構造は、第一フック、第二フック、および、第二斜面を有し、且つ、前記第一斜面は、前記第二斜面に抵接し、前記スイッチが切り替わる時、前記第一斜面と前記第二斜面との間に滑動が発生して、前記リンケージ構造を移動させることを特徴とする請求項１に記載の光学装置。
【請求項６】
さらに、光源、および、反射鏡を有し、前記光源は、第一光線を発し、前記反射鏡は、前記第一光線を前記反射対物レンズに反射させることを特徴とする請求項１に記載の光学装置。
【請求項７】
光学装置であって、
本体と、
前記本体に枢支連結され、前記本体に対して、一角度で回転する反射対物レンズと、
第一光線を発する光源と、
少なくとも一つの透過領域を有し、前記第一光線は、前記透過領域を通過して成形される(to be shaped)カバーと、
を有することを特徴とする光学装置。
【請求項８】
さらに、反射鏡を有し、前記反射鏡は、前記第一光線を前記反射対物レンズに反射させることを特徴とする請求項７に記載の光学装置。
【請求項９】
さらに、反射鏡を有し、前記反射鏡は、前記第一光線を前記反射対物レンズに反射させ、物体が発射する第二光線は、前記反射対物レンズを通過し、且つ、前記第一光線、あるいは、前記第二光線は、前記透過領域を通過して成形されることを特徴とする請求項７に記載の光学装置。
【請求項１０】
さらに、ピボット、および、弾性素子を有し、前記反射対物レンズは、前記ピボットにより前記本体に枢支連結され、前記弾性素子は、前記ピボットに設置され、前記光学装置が閉じるとき、前記弾性素子は、圧縮されるとともに、弾力を保存し、前記光学装置が開くとき、前記弾力が解放されることを特徴とする請求項７に記載の光学装置。
【発明の詳細な説明】
【技術分野】
【０００１】
本発明は、光学装置に関するものであって、とくに、ドットサイト(dot sight)に関するものである。
【背景技術】
【０００２】
図１は、従来の光学装置の構造を示す図である。光学装置１０は、カバー１０１、反射対物レンズ１０２、連接棒１０３、および、本体１００を有する。本体１００は、さらに、図１に示されるように、スイッチ１３０を有し、操作時、スイッチ１３０を切り替えることにより、カバー１０１、および、反射対物レンズ１０２が上昇して、開いた状態になり、使用終了時、カバー１０１を本体１００まで押して、反射対物レンズ１０２を、カバー１０１、および、本体１００により構成される封閉空間中に収納して、閉じた状態にする。
【０００３】
カバー１０１、連接棒１０３、および、本体１００は、複数のスクリュー１１０により接続されるので、この構造は、光学装置１０の組み立て時に不便であり、且つ、組み立て素子が多いので、コストが高い。
【発明の概要】
【発明が解決しようとする課題】
【０００４】
よって、本発明は、光学装置を提供する。カバーを反射対物レンズに接続して、連接棒と複数のスクリューによって、カバーを本体上に接続するのを代替することにより、光学装置の構造と素子を簡潔にすることを目的とする。
【課題を解決するための手段】
【０００５】
本発明の一実施形態による光学装置は、本体、カバー、および、反射対物レンズを有する。反射対物レンズは、本体に枢支連結されるとともに、本体に対して、第一角度で回転し、カバーは、反射対物レンズに枢支連結されるとともに、反射対物レンズに対して、第二角度で回転する。
【０００６】
もう一つの実施形態において、本発明の光学装置は、さらに、第一ピボットを有し、反射対物レンズは、第一ピボットにより、本体に接続される。
【０００７】
もう一つの実施形態において、本発明の光学装置は、さらに、第二ピボットを有し、カバーは、第二ピボットにより、反射対物レンズに接続される。
【０００８】
もう一つの実施形態において、本発明の光学装置は、さらに、第一ピボット、あるいは、第二ピボットに設置される弾性素子を有し、光学装置が閉じているとき、弾性素子は、圧縮されるとともに、弾力を保存し、光学装置が開いているとき、弾力を解放する。弾性素子は、ねじりばね、あるいは、板ばねである。
【０００９】
もう一つの実施形態において、本体は、さらに、スイッチ、および、リンケージ構造を有する。スイッチは第一斜面を有し、リンケージ構造は、第一フック、第二フック、および、第二斜面を有し、且つ、第一斜面は、第二斜面に抵接し、スイッチが操作される時、第一斜面と第二斜面との間に滑動が発生して、リンケージ構造を移動させる。
【００１０】
もう一つの実施形態において、本発明の光学装置は、さらに、光源、および、反射鏡を有する。光源は、第一光線を発し、反射鏡は、第一光線を反射対物レンズに反射させる。
【００１１】
本発明のもう一つの実施形態による光学装置は、本体、反射対物レンズ、光源、および、カバーを有する。反射対物レンズは、本体に枢支連結されるとともに、本体に対して、一角度で回転し、光源は、第一光線を発する。カバーは、少なくとも一つの透過領域を有し、第一光線は、透過領域を通過して成形される。
【００１２】
もう一つの実施形態において、本発明の光学装置は、さらに、反射鏡を有し、反射鏡は、第一光線を反射対物レンズに反射させる。
【００１３】
もう一つの実施形態において、本発明の光学装置は、さらに、反射鏡を有し、反射鏡は、第一光線を反射対物レンズに反射させ、物体が発射する第二光線が、反射対物レンズを通過し、且つ、第一光線、あるいは、第二光線は、透過領域を通過して成形される。
【００１４】
もう一つの実施形態において、本発明の光学装置は、さらに、ピボット、および、弾性素子を有する。反射対物レンズは、ピボットにより、本体に枢支連結され、弾性素子はピボットに設置される。光学装置が閉じるとき、弾性素子は、圧縮されるとともに、弾力を保存し、光学装置が開くとき、弾力が解放される。
【発明の効果】
【００１５】
光学装置の組み立て過程がさらに簡潔になり、組み立て素子が減少するので、コストも減少する。
【図面の簡単な説明】
【００１６】
【図１】従来の光学装置の構造を示す図である。
【図２】本発明の一実施形態による光学装置の構造を示す図である。
【図３】図２の光学装置の閉じた状態を示す図である。
【図４】図３の光学装置の側面図である。
【図５】図３の光学装置の平面図である。
【図６】図３の光学装置の開いた状態を示す図である。
【図７】図６中のＡ部分の拡大図である。
【図８】図６の光学装置の背面図である。
【図９】図８中のＢの部分拡大図である。
【図１０】本発明のもう一つの実施形態による光学装置の光路を示す図である。
【発明を実施するための形態】
【００１７】
図２〜図５は、本発明の一実施形態による光学装置を示す図である。本発明の実施形態中、本発明の光学装置２０は、カバー２０１、反射対物レンズ２０２、および、本体２００を有する。反射対物レンズ２０２は、第一ピボット２２２により、本体２００に接続されるので、反射対物レンズ２０２は、本体２００に対し、一定角度で回転する。カバー２０１は、第二ピボット２１２により、反射対物レンズ２０２に接続されるので、カバー２０１は、反射対物レンズ２０２に対して、一定角度で回転する。本体２００は、図２に示されるように、スイッチ２１０を有し、操作時、スイッチ２１０を切り替えることにより、カバー２０１、および、反射対物レンズ２０２を上昇させて、光学装置２０を開いた状態にする。また、使用終了時、カバー２０１を本体２００に向けて押すだけで、反射対物レンズ２０２が、カバー２０１、および、本体２００により構成される封閉空間中に収納されて、図３に示されるように、光学装置２０を閉じた状態にする。
【００１８】
図４、図５に示されるように、本体２００は、更に、本体２００内部に設置されるリンケージ構造２２０を有する。リンケージ構造２２０は、第三フック２３３、および、第四フック２３４を有する。また、反射対物レンズ２０２は、第一フック２３１を有し、カバー２０１は、第二フック２３２を有する。第一フック２３１、および、第二フック２３２は、それぞれ、分離式で、第三フック２３３、および、第四フック２３４に引っ掛けられる。また、スイッチ２１０は第一斜面２４１を有し、リンケージ構造２２０は第二斜面２４２を有し、第一斜面２４１は第二斜面２４２に抵接する。リンケージ構造２２０上の第三フック２３３、および、第四フック２３４は、それぞれ、第一フック２３１、および、第二フック２３２に引っ掛けられ、図４に示されるように、光学装置２０を、閉じた状態にする。図５に示されるように、使用者がスイッチ２１０を切り替えて、Ｙ方向に移動するとき、第一斜面２４１も、スイッチ２１０とともに、Ｙ方向に移動する。第一斜面２４１がＹ方向に移動する時、リンケージ構造２２０上の第二斜面２４２を押して、リンケージ構造２２０をＸ方向に移動させて、リンケージ構造２２０上の第三フック２３３、および、第四フック２３４が、それぞれ、第一フック２３１、および、第二フック２３２から外れ、反射対物レンズ２０２、および、カバー２０１が上昇して、光学装置２０が開いた状態になる。
【００１９】
図６〜図９を参照すると、光学装置２０は、さらに、第一弾性素子３２２、および、第二弾性素子３１２を有する。本実施形態において、第一弾性素子３２２、および、第二弾性素子３１２は、ねじりばねである。第一弾性素子３２２は、第一ピボット２２２上に設置され、その一端は本体２００に抵接され、もう一端は反射対物レンズ２０２に抵接される。第二弾性素子３１２は第二ピボット２１２上に設置され、その一端は反射対物レンズ２０２に抵接され、もう一端はカバー２０１に抵接される。光学装置２０が閉じた状態である時、第一弾性素子３２２、および、第二弾性素子３１２は、同時に、圧縮状態である。上述のように、使用者が、スイッチ２１０を切り替えた後、リンケージ構造２２０上の第三フック２３３、および、第四フック２３４が、それぞれ、第一フック２３１、および、第二フック２３２から外れ、第一弾性素子３２２が、圧縮状態から回復するとともに、反射対物レンズ２０２、および、本体２００を押して、反射対物レンズ２０２が、第一ピボット２２２を支点として、本体２００に対して、第一角度で回転する。同様に、第二弾性素子３１２が、圧縮状態から回復するとともに、カバー２０１、および、反射対物レンズ２０２を押して、カバー２０１が、第二ピボット２１２を支点として、反射対物レンズ２０２に対して、第二角度で回転して、カバー２０１、および、反射対物レンズ２０２が開く。
【００２０】
本実施形態において、第一弾性素子３２２、および、第二弾性素子３１２は、ねじりばねであるが、第一弾性素子３２２、および、第二弾性素子３１２は、板ばね等、その他の弾性素子でもよい。
【００２１】
もう一つの実施形態において、上述の第一フック２３１、および、第三フック２３３は省略され、リンケージ構造２２０は第四フック２３４だけを有し、カバー２０１は第二フック２３２を有する。光学装置２０が閉じた状態である時、リンケージ構造２２０上の第四フック２３４が、第二フック２３２に掛けられて、反射対物レンズ２０２、および、カバー２０１がロックされる。本発明の光学装置のその他の配置、および、操作は前述のようである。
【００２２】
図１０は、光学装置２０が開いた状態である時の光路を示す図である。光学装置２０は、さらに、光源２３０、カバー２４０、および、反射鏡２５０を有する。光源２３０、カバー２４０、および、反射鏡２５０は、全て、あらかじめ設定された位置にしたがって、本体２００の内部に設置される。光源２３０は、第一光線２６０を発し、カバー２４０は、少なくとも一つの透過領域、および、少なくとも一つの不透明領域を有する。光源２３０が発する第一光線２６０がカバー２４０を通過する時、第一光線２６０は不透明領域により遮断されるが、透過領域を通過して、成形される(たとえば、レチクル、十字線、標的点、あるいは、円形)。成形後の第一光線２６０は、順に、反射鏡２５０、および、反射対物レンズ２０２により反射して、使用者の目に到達する。このほか、使用者の目は、さらに、反射対物レンズ２０２により、オブジェクトにより発せられる第二光線(図示しない)を受け、つまり、使用者は、光学装置２０により、同時に、オブジェクト、および、成形される光線を観察する。本発明の実施形態において、光源２３０は、二色の発光ダイオード (Light-emitting diode)であり、カバー２４０は、四種の異なる形状(レチクル、十字線、標的点、あるいは、円形)の透過領域を有し、これらの透過領域を切り換えることにより、四種の異なる形状の光線を生成する。
【００２３】
本発明の光学装置は、ピボットにより、カバーを反射対物レンズ上に枢接して、構造を簡潔にする目的を達成し、光学装置の組み立て過程をさらに簡単にして、同時に、組み立て素子が減少するので、コストも減少する。
【００２４】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００２５】
１０    光学装置
２０    光学装置
１００  本体
１０１  カバー
１０２  反射対物レンズ
１０３  連接棒
１１０  スクリュー
１３０  スイッチ
２００  本体
２０１  カバー
２０２  反射対物レンズ
２１０  スイッチ
２１２  第二ピボット
２２０  リンケージ構造
２２２  第一ピボット
２３０  光源
２３１  第一フック
２３２  第二フック
２３３  第三フック
２３４  第四フック
２４０  カバー
２４１  第一斜面
２４２  第二斜面
２５０  反射鏡
２６０  第一光線
３１２  第二弾性素子
３２２  第一弾性素子
【図１】
2018060171.tif 000003
【図２】
2018060171.tif 000004
【図３】
2018060171.tif 000005
【図４】
2018060171.tif 000006
【図５】
2018060171.tif 000007
【図６】
2018060171.tif 000008
【図７】
2018060171.tif 000009
【図８】
2018060171.tif 000010
【図９】
2018060171.tif 000011
【図１０】
2018060171.tif 000012